(57)【要約】【課題】手間をかけずに商品の残数量を管理する。【解決手段】移動部１０１は、予め定められた先頭位置から順に詰められて配置される複数の商品のうち少なくとも１個の商品が取り出された場合、複数の商品の残数量に応じた位置に移動する。検知部１０２は、移動部１０１が予め定められた検知位置に移動したことを検知する。送信部１０３は、検知部１０２により移動部１０１が検知位置に移動したことが検知された場合、商品の識別情報を予め定められた処理部１０４に送信する。【選択図】図６
2019191617.tif 000002
【特許請求の範囲】
【請求項１】
予め定められた先頭位置から順に詰められて配置される複数の商品のうち少なくとも１個の商品が取り出された場合、前記複数の商品の残数量に応じた位置に移動する移動手段と、
前記移動手段が予め定められた検知位置に移動したことを検知する検知手段と、
前記検知手段により前記移動手段が前記検知位置に移動したことが検知された場合、前記商品の識別情報を予め定められた処理手段に送信する送信手段と、を備える、
商品管理システム。
【請求項２】
前記移動手段は、前記商品を模した商品ダミーであり、
前記商品ダミーは、前記複数の商品のうち前記先頭位置からの距離が最も遠い商品と隣接し、前記最も遠い商品よりも前記先頭位置から遠い位置に配置される、
請求項１に記載の商品管理システム。
【請求項３】
前記移動手段は、前記複数の商品のうち前記先頭位置からの距離が最も遠い商品を前記先頭位置に向けて押し出す押出機構の一部である、
請求項１に記載の商品管理システム。
【請求項４】
前記移動手段は、タグ情報を記憶する無線タグを備え、
前記検知手段は、前記無線タグが前記検知位置に配置されているときに、前記無線タグから前記タグ情報を受信するアンテナであり、
前記送信手段は、前記アンテナにより前記タグ情報が受信された場合、前記商品の識別情報を前記処理手段に送信する、
請求項１から３の何れか１項に記載の商品管理システム。
【請求項５】
予め定められた第２先頭位置から順に詰められて配置される複数の第２商品のうち少なくとも１個の第２商品が取り出された場合、前記複数の第２商品の残数量に応じた位置に移動する第２移動手段を更に備え、
前記第２移動手段は、第２タグ情報を記憶する第２無線タグを備え、
前記検知手段は、前記第２移動手段が予め定められた第２検知位置に移動したことを更に検知し、
前記検知手段である前記アンテナは、前記検知位置と前記第２検知位置とを含む領域を受信対象領域とするアンテナであり、前記無線タグが前記検知位置に配置されているときに、前記無線タグから前記タグ情報を受信し、前記第２無線タグが前記第２検知位置に配置されているときに、前記第２無線タグから前記第２タグ情報を受信し、
前記送信手段は、前記アンテナにより前記タグ情報が受信された場合、前記商品の識別情報を前記処理手段に送信し、前記アンテナにより前記第２タグ情報が受信された場合、前記第２商品の識別情報を前記処理手段に送信する、
請求項４に記載の商品管理システム。
【請求項６】
前記移動手段の重量と前記商品の重量とは異なり、
前記検知手段は、前記検知位置に配置された物品の重量を測定する重量センサであり、
前記送信手段は、前記重量センサにより前記移動手段の重量が測定された場合、前記商品の識別情報を前記処理手段に送信する、
請求項１から３の何れか１項に記載の商品管理システム。
【請求項７】
前記移動手段の重量と前記商品の重量との重量差は、予め定められた重量閾値以上であり、
前記検知手段は、前記検知位置に配置された物品の重量を測定する重量センサであり、
前記送信手段は、前記重量センサにより測定された重量が前記重量閾値以上変化した場合、前記商品の識別情報を前記処理手段に送信する、
請求項１から３の何れか１項に記載の商品管理システム。
【請求項８】
前記移動手段の熱伝導率と前記商品の熱伝導率とは異なり、
前記検知手段は、前記検知位置に配置された物品の近傍の温度を測定する温度センサであり、
前記送信手段は、前記温度センサにより測定された温度が予め定められた温度閾値以上変化した場合、前記商品の識別情報を前記処理手段に送信する、
請求項１から３の何れか１項に記載の商品管理システム。
【請求項９】
前記移動手段の色と前記商品の色とは異なり、
前記検知手段は、前記検知位置に配置された物品の色を測定するカラーセンサであり、
前記送信手段は、前記カラーセンサにより前記移動手段の色が検知された場合、前記商品の識別情報を前記処理手段に送信する、
請求項１から３の何れか１項に記載の商品管理システム。
【請求項１０】
前記移動手段の色と前記商品の色とは異なり、
前記検知手段は、前記検知位置に配置された物品の色を測定するカラーセンサであり、
前記送信手段は、前記カラーセンサにより測定された色が変化した場合、前記商品の識別情報を前記処理手段に送信する、
請求項１から３の何れか１項に記載の商品管理システム。
【請求項１１】
前記処理手段を更に備え、
前記処理手段は、
前記送信手段から送信された前記商品の識別情報を受信する受信手段と、
前記受信手段により前記商品の識別情報が受信された場合、前記検知位置に対応付けられた数量を示す情報を表示する表示手段と、を備える、
請求項１から１０の何れか１項に記載の商品管理システム。
【発明の詳細な説明】
【技術分野】
【０００１】
本発明は、商品管理システムに関する。
【背景技術】
【０００２】
コンビニエンスストアやスーパーマーケットなどの店舗の店員は、店頭に配置された商品の残数量が少なくなった場合、商品を補充することが求められる。ここで、店員が、店頭に配置された商品の残数量を常時確認するのは、非常に手間がかかる。そこで、現在、このような手間を減らすための種々の技術が知られている。
【０００３】
例えば、特許文献１には、店舗に配置された商品の残数量を管理する商品管理システムが開示されている。特許文献１に開示された商品管理システムでは、個々の商品に付された無線タグから受信した情報に基づいて残数量を取得し、取得した残数量に基づいて補充を要すると判定した場合に、所定の者に補充要求を通知する。
【先行技術文献】
【特許文献】
【０００４】
【特許文献１】特許第５２３９３９９号公報
【発明の概要】
【発明が解決しようとする課題】
【０００５】
しかしながら、特許文献１に開示された技術では、個々の商品に無線タグを付さなければならず、多大な手間を要する。このため、手間をかけずに商品の残数量を管理する技術が求められている。
【０００６】
本発明は、上記問題に鑑みてなされたものであり、手間をかけずに商品の残数量を管理する商品管理システムを提供することを目的とする。
【課題を解決するための手段】
【０００７】
上記目的を達成するために、本発明に係る商品管理システムは、
予め定められた先頭位置から順に詰められて配置される複数の商品のうち少なくとも１個の商品が取り出された場合、前記複数の商品の残数量に応じた位置に移動する移動手段と、
前記移動手段が予め定められた検知位置に移動したことを検知する検知手段と、
前記検知手段により前記移動手段が前記検知位置に移動したことが検知された場合、前記商品の識別情報を予め定められた処理手段に送信する送信手段と、を備える。
【０００８】
前記移動手段は、前記商品を模した商品ダミーであり、
前記商品ダミーは、前記複数の商品のうち前記先頭位置からの距離が最も遠い商品と隣接し、前記最も遠い商品よりも前記先頭位置から遠い位置に配置されてもよい。
【０００９】
前記移動手段は、前記複数の商品のうち前記先頭位置からの距離が最も遠い商品を前記先頭位置に向けて押し出す押出機構の一部であってもよい。
【００１０】
前記移動手段は、タグ情報を記憶する無線タグを備え、
前記検知手段は、前記無線タグが前記検知位置に配置されているときに、前記無線タグから前記タグ情報を受信するアンテナであり、
前記送信手段は、前記アンテナにより前記タグ情報が受信された場合、前記商品の識別情報を前記処理手段に送信してもよい。
【００１１】
予め定められた第２先頭位置から順に詰められて配置される複数の第２商品のうち少なくとも１個の第２商品が取り出された場合、前記複数の第２商品の残数量に応じた位置に移動する第２移動手段を更に備え、
前記第２移動手段は、第２タグ情報を記憶する第２無線タグを備え、
前記検知手段は、前記第２移動手段が予め定められた第２検知位置に移動したことを更に検知し、
前記検知手段である前記アンテナは、前記検知位置と前記第２検知位置とを含む領域を受信対象領域とするアンテナであり、前記無線タグが前記検知位置に配置されているときに、前記無線タグから前記タグ情報を受信し、前記第２無線タグが前記第２検知位置に配置されているときに、前記第２無線タグから前記第２タグ情報を受信し、
前記送信手段は、前記アンテナにより前記タグ情報が受信された場合、前記商品の識別情報を前記処理手段に送信し、前記アンテナにより前記第２タグ情報が受信された場合、前記第２商品の識別情報を前記処理手段に送信してもよい。
【００１２】
前記移動手段の重量と前記商品の重量とは異なり、
前記検知手段は、前記検知位置に配置された物品の重量を測定する重量センサであり、
前記送信手段は、前記重量センサにより前記移動手段の重量が測定された場合、前記商品の識別情報を前記処理手段に送信してもよい。
【００１３】
前記移動手段の重量と前記商品の重量との重量差は、予め定められた重量閾値以上であり、
前記検知手段は、前記検知位置に配置された物品の重量を測定する重量センサであり、
前記送信手段は、前記重量センサにより測定された重量が前記重量閾値以上変化した場合、前記商品の識別情報を前記処理手段に送信してもよい。
【００１４】
前記移動手段の熱伝導率と前記商品の熱伝導率とは異なり、
前記検知手段は、前記検知位置に配置された物品の近傍の温度を測定する温度センサであり、
前記送信手段は、前記温度センサにより測定された温度が予め定められた温度閾値以上変化した場合、前記商品の識別情報を前記処理手段に送信してもよい。
【００１５】
前記移動手段の色と前記商品の色とは異なり、
前記検知手段は、前記検知位置に配置された物品の色を測定するカラーセンサであり、
前記送信手段は、前記カラーセンサにより前記移動手段の色が検知された場合、前記商品の識別情報を前記処理手段に送信してもよい。
【００１６】
前記移動手段の色と前記商品の色とは異なり、
前記検知手段は、前記検知位置に配置された物品の色を測定するカラーセンサであり、
前記送信手段は、前記カラーセンサにより測定された色が変化した場合、前記商品の識別情報を前記処理手段に送信してもよい。
【００１７】
前記処理手段を更に備え、
前記処理手段は、
前記送信手段から送信された前記商品の識別情報を受信する受信手段と、
前記受信手段により前記商品の識別情報が受信された場合、前記検知位置に対応付けられた数量を示す情報を表示する表示手段と、を備えてもよい。
【発明の効果】
【００１８】
本発明によれば、手間をかけずに商品の残数量を管理することができる。
【図面の簡単な説明】
【００１９】
【図１】本発明の実施形態１に係る商品管理システムの構成図
【図２】本発明の実施形態１に係る送信装置の構成図
【図３】本発明の実施形態１に係る処理装置の構成図
【図４】移動部が検知位置に移動したことがアンテナにより検知される様子を示す図
【図５】本発明の実施形態１に係るアンテナの構成を説明するための図であり、（Ａ）は平面図、（Ｂ）はＡ−Ａ線の断面図
【図６】本発明の実施形態１に係る商品管理システムの機能構成図
【図７】押出機構が商品を先頭位置に向けて押し出す様子を示す図
【図８】本発明の実施形態２に係る商品管理システムの構成図
【図９】本発明の実施形態２に係る通信シートの平面図
【図１０】本発明の実施形態２に係る商品管理システムの機能構成図
【図１１】移動部が検知位置に移動したことが重量センサにより検知される様子を示す図
【図１２】移動部が検知位置に移動したことが温度センサにより検知される様子を示す図
【図１３】移動部が検知位置に移動したことがカラーセンサにより検知される様子を示す図
【発明を実施するための形態】
【００２０】
以下、本発明の実施形態について、図面を参照して説明する。なお、図中において、同一又は対応する部分には、同一の符号を付す。
【００２１】
（実施形態１）
図１は、本発明の実施形態１に係る商品管理システム１０００の構成図である。商品管理システム１０００は、店頭の陳列棚に配置された商品の残数量が少なくなったことを管理者に報知するシステムである。従って、商品管理システム１０００は、管理者による商品管理を支援するシステムとも言える。管理者は、例えば、店舗の店長や店員である。一方、管理者は、商品の残数量が少なくなったことを報知された場合、陳列棚に商品を補充する。
【００２２】
図１に示すように、商品管理システム１０００は、送信装置１００と、処理装置２００と、商品ダミー４１０，４２０，４３０と、アンテナ５１０，５２０，５３０と、傾斜板６００と、を備える。送信装置１００と処理装置２００とは、通信ネットワーク７００を介して相互に接続される。送信装置１００は、通信線５１８を介してアンテナ５１０と接続され、通信線５２８を介してアンテナ５２０と接続され、通信線５３８を介してアンテナ５３０と接続される。また、傾斜板６００には、複数の商品３１０と商品ダミー４１０とが隙間なく一列に並べられて配置され、複数の商品３２０と商品ダミー４２０とが隙間なく一列に並べられて配置され、複数の商品３３０と商品ダミー４３０とが隙間なく一列に並べられて配置される。
【００２３】
送信装置１００は、アンテナ５１０から受信した情報に基づいて、商品３１０の残数量が少なくなったことを検知する。送信装置１００は、アンテナ５２０から受信した情報に基づいて、商品３２０の残数量が少なくなったことを検知する。送信装置１００は、アンテナ５３０から受信した情報に基づいて、商品３３０の残数量が少なくなったことを検知する。送信装置１００は、商品３１０，３２０，３３０のそれぞれの残数量が少なくなった旨を示す情報を、通信ネットワーク７００を介して、処理装置２００に送信する。送信装置１００は、マイコンなどを備える専用のハードウェアであってもよいし、デスクトップパソコン、ノートパソコン、タブレット端末、スマートフォンなどの汎用の端末装置であってもよい。以下、図２を参照して、送信装置１００の構成について説明する。
【００２４】
図２に示すように、送信装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、第１通信インターフェース１７、第２通信インターフェース１８を備える。送信装置１００が備える各構成要素は、バスを介して相互に接続される。
【００２５】
ＣＰＵ１１は、送信装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、送信装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２６】
フラッシュメモリ１４は、各種の情報を記憶する不揮発性メモリである。ＲＴＣ１５は、計時用のデバイスである。ＲＴＣ１５は、例えば、電池を内蔵し、送信装置１００の電源がオフの間も計時を継続する。ＲＴＣ１５は、例えば、水晶発振子を備える発振回路を備える。タッチスクリーン１６は、ユーザによりなされたタッチ操作を検知し、検知の結果を示す信号をＣＰＵ１１に供給する。また、タッチスクリーン１６は、ＣＰＵ１１から供給された画像信号に基づく画像を表示する。このように、タッチスクリーン１６は、送信装置１００のユーザインターフェースとして機能する。
【００２７】
第１通信インターフェース１７は、送信装置１００を、通信ネットワーク７００に接続するためのインターフェースである。送信装置１００は、通信ネットワーク７００を介して通信ネットワーク７００に接続された処理装置２００と通信する。第１通信インターフェース１７は、例えば、ＬＡＮ（Local Area Network）インターフェース（例えば、ＮＩＣ（Network Interface Card））を備える。
【００２８】
第２通信インターフェース１８は、送信装置１００を、アンテナ５１０，５２０，５３０のそれぞれと接続するためのインターフェースである。第２通信インターフェース１８は、通信線５１８を介してアンテナ５１０と接続され、通信線５２８を介してアンテナ５２０と接続され、通信線５３８を介してアンテナ５３０と接続される。第２通信インターフェース１８は、ＣＰＵ１１による制御に従って、アンテナ５１０，５２０，５３０のそれぞれから電波を放射させる。また、第２通信インターフェース１８は、アンテナ５１０，５２０，５３０のそれぞれにより受信された電波により示される情報をＣＰＵ１１に供給する。つまり、ＣＰＵ１１と第２通信インターフェース１８とが協働することにより、タグ情報を読み取る読取装置として機能する。
【００２９】
処理装置２００は、通信ネットワーク７００を介して、送信装置１００から、商品３１０，３２０，３３０のそれぞれの残数量が少なくなった旨を示す情報を受信する。処理装置２００は、商品３１０，３２０，３３０のそれぞれの残数量が少なくなった旨を、画像表示により管理者に報知する。処理装置２００は、例えば、デスクトップパソコン、ノートパソコン、タブレット端末、スマートフォンである。以下、図３を参照して、処理装置２００の構成について説明する。
【００３０】
図３に示すように、処理装置２００は、ＣＰＵ２１、ＲＯＭ２２、ＲＡＭ２３、フラッシュメモリ２４、ＲＴＣ２５、タッチスクリーン２６、第１通信インターフェース２７を備える。処理装置２００が備える各構成要素は、バスを介して相互に接続される。
【００３１】
ＣＰＵ２１は、処理装置２００の全体の動作を制御する。なお、ＣＰＵ２１は、ＲＯＭ２２に格納されているプログラムに従って動作し、ＲＡＭ２３をワークエリアとして使用する。ＲＯＭ２２には、処理装置２００の全体の動作を制御するためのプログラムやデータが記憶される。ＲＡＭ２３は、ＣＰＵ２１のワークエリアとして機能する。つまり、ＣＰＵ２１は、ＲＡＭ２３にプログラムやデータを一時的に書き込み、これらのプログラムやデータを適宜参照する。
【００３２】
フラッシュメモリ２４は、各種の情報を記憶する不揮発性メモリである。ＲＴＣ２５は、計時用のデバイスである。ＲＴＣ２５は、例えば、電池を内蔵し、処理装置２００の電源がオフの間も計時を継続する。ＲＴＣ２５は、例えば、水晶発振子を備える発振回路を備える。タッチスクリーン２６は、ユーザによりなされたタッチ操作を検知し、検知の結果を示す信号をＣＰＵ２１に供給する。また、タッチスクリーン２６は、ＣＰＵ２１から供給された画像信号に基づく画像を表示する。このように、タッチスクリーン２６は、処理装置２００のユーザインターフェースとして機能する。
【００３３】
第１通信インターフェース２７は、処理装置２００を、通信ネットワーク７００に接続するためのインターフェースである。処理装置２００は、通信ネットワーク７００を介して通信ネットワーク７００に接続された送信装置１００と通信する。第１通信インターフェース２７は、例えば、ＬＡＮインターフェース（例えば、ＮＩＣ）を備える。
【００３４】
商品３１０，３２０，３３０のそれぞれは、店舗の陳列棚に一列に配置されて、顧客に販売される商品である。商品３１０，３２０，３３０は、例えば、缶飲料、ペットボトル飲料、瓶飲料、タバコなどの商品である。本実施形態では、商品３１０と商品３２０と商品３３０とは互いに異なる商品であるものとする。図１には、商品３１０の残数量が５個であり、商品３２０の残数量が２個であり、商品３３０の残数量が４個である例を示している。また、本実施形態では、残数量が２個になった場合に、残数量が少なくなった旨が管理者に報知されるものとする。
【００３５】
商品ダミー４１０，４２０，４３０は、それぞれ、商品３１０，３２０，３３０を模した物品である。従って、商品ダミー４１０，４２０，４３０は、顧客に販売されない。商品ダミー４１０は、商品３１０と同様の形状であり、下部（底面又は底面近傍の側面）に無線タグ４１１が付されている。商品ダミー４２０は、商品３２０と同様の形状であり、下部（底面又は底面近傍の側面）に無線タグ４２１が付されている。商品ダミー４３０は、商品３３０と同様の形状であり、下部（底面又は底面近傍の側面）に無線タグ（図示せず）が付されている。商品ダミー４１０，４２０，４３０は、それぞれ、商品３１０，３２０，３３０の最後尾に並べて配置される。以下、図４を参照して、商品３１０と商品ダミー４１０とを例にして、商品と商品ダミーとが傾斜板６００上に配置される様子について説明する。
【００３６】
図４に示すように、傾斜板６００上において、複数の商品３１０と商品ダミー４１０とは、先頭位置から順に詰められて一列に配置される。なお、傾斜板６００上に配置された商品３１０の個数、つまり、商品３１０の残数量は、５個である。ここで、先頭位置は、領域３１１で囲まれた位置である。先頭位置に配置された商品３１０は、基本的に、顧客から最も近い商品であり、顧客が最も取りやすい商品である。商品３１０と商品ダミー４１０とは、重力により先頭位置に向かう力が働く。ただし、商品３１０と商品ダミー４１０とは、先頭位置まで移動すると、傾斜板６００の端部に設けられた突起部６１０により停止する。つまり、商品３１０の残数量が０個にならない限り、先頭位置には必ず商品３１０が配置される。
【００３７】
領域３１２で囲まれた位置は、末尾位置である。末尾位置に配置された商品３１０は、基本的に、顧客から最も遠い商品であり、顧客が最も取りにくい商品である。先頭位置は、商品３１０の残数量に拘わらず移動しないが、末尾位置は商品３１０の残数量に応じて移動する。商品ダミー４１０は、末尾位置に配置された商品３１０と隣接し、末尾位置よりも先頭位置から遠い位置に配置される。ここで、顧客が、先頭位置に配置された商品３１０を商品棚から取り出すと、残された４個の商品３１０と商品ダミー４１０とは、商品３１０一個分だけ、先頭位置に向かってシフトする。同様に、先頭位置に配置された商品３１０が商品棚から取り出される毎に、残された商品３１０と商品ダミー４１０とが、商品３１０一個分だけ、先頭位置に向かってシフトする。このように、商品３１０が商品棚から取り出されると、商品ダミー４１０は、残された商品３１０とともに、先頭位置に向かって移動する。
【００３８】
領域３１３で囲まれた位置は、検知位置である。商品ダミー４１０が検知位置に移動すると、商品ダミー４１０に付された無線タグ４１１がアンテナ５１０の浸出領域５１７内に入る。従って、アンテナ５１０は、無線タグ４１１からタグ情報を受信する。アンテナ５１０は、受信したタグ情報を、通信線５１８を介して、送信装置１００に送信する。一方、送信装置１００は、受信したタグ情報を、通信ネットワーク７００を介して、処理装置２００に送信する。
【００３９】
なお、タグ情報は、例えば、商品３１０の識別情報と、商品３１０の残数量を示す個数情報とを含む。なお、タグ情報に含まれる個数情報は、検知位置、つまり、アンテナ５１０が配置される傾斜板６００上の位置に応じた個数を示す。具体的には、タグ情報に含まれる個数情報は、検知位置から先頭位置までの距離を、商品３１０の移動方向における長さで除算した値を示す。例えば、図４に示す例では、タグ情報に含まれる個数情報は、２個を示す。
【００４０】
次に、図５を参照して、アンテナ５１０の構成について説明する。なお、アンテナ５２０とアンテナ５３０とは、基本的に、アンテナ５１０と同様の構成である。図５に示すように、アンテナ５１０は、シート状のアンテナである。図５（Ａ）は、アンテナ５１０の平面図であり、図５（Ｂ）は、図５（Ａ）に示すＡ−Ａ線の断面図である。アンテナ５１０は、図５（Ａ）に示すように、厚み方向における一方側の表面に、メッシュ状の開孔が形成されたシート状導体５１１を有する。また、アンテナ５１０は、図５（Ｂ）示すように、厚み方向における他方側の表面に、シート状導体５１１に対向して配置されるシート状導体５１２を有し、２層のシート状導体５１１，５１２の間に誘電体５１３を有する。なお、シート状導体５１１の上面には、水をこぼした場合等に備えて塩化ビニル等の保護シート５１４が貼り付けられている。
【００４１】
シート状導体５１１及びシート状導体５１２は、それぞれ例えば厚さが約３２μｍのアルミのラミネートで構成される。誘電体５１３は、例えば厚さが約２ｃｍの発泡ポリオレフィンで構成される。誘電体５１３は、織物、編物、湿式不織布、乾式不織布等の繊維構造体で構成されてもよい。更には、誘電体５１３に代えて絶縁体（例えば、ガラスエポキシ素材）を用いてもよいし、誘電体５１３自体用いずに、シート状導体５１１、５１２間は空気であってもよい。なお、アンテナ５１０は、必要に応じてカットして用いることができる。すなわち、アンテナ５１０は、アンテナ５１０が設置される場所の面積に応じて、適当なサイズにカットされ、所望の場所に設置される。
【００４２】
アンテナ５１０は、通信線５１８と接続するためのコネクタ５１５を有する。通信線５１８の他端には第２通信インターフェース１８が接続されている。また、アンテナ５１０は、図５（Ｂ）に示すように、コネクタ５１５が設けられた側とは反対側の端部に、インピーダンス調整用の終端部５１６を有する。第２通信インターフェース１８は、アンテナ５１０に電磁波を送信し、送信した電磁波によって生じた近接場を介して、商品ダミー４１０に付された無線タグ４１１からタグ情報を読み取る読取装置である。
【００４３】
具体的に説明すると、第２通信インターフェース１８は、アンテナ５１０に、通信線５１８を介して、ＵＨＦ帯域の電磁波（波長約３０ｃｍの電波）を、予め定められた周期（例えば１秒）で繰り返し送信する。第２通信インターフェース１８から送信された電磁波は、アンテナ５１０の内部を伝達する。そして、アンテナ５１０の内部を伝達する電磁波がアンテナ５１０の表面から浸出することによって、近接場が生じる。
【００４４】
より詳細に説明すると、第２通信インターフェース１８から送信された電磁波は、２層のシート状導体５１１，５１２の間の誘電体５１３内であって、コネクタ５１５から終端部５１６までの間を伝達する。そして、誘電体５１３内を伝達する電磁波は、シート状導体５１１に形成されたメッシュ状の開孔から浸出することによって、シート状導体５１１のごく近傍の浸出領域５１７（図５（Ｂ）において破線で示した領域）に漏れ出す（浸出する）。この浸出した電磁波（エバネッセント波）は、遠方へは伝搬されず、シート状導体５１１のごく近傍の浸出領域５１７内において近接場を形成する。
【００４５】
シート状導体５１１の表面から浸出する電磁波の量、すなわち浸出領域５１７の大きさは、主に、シート状導体５１１に形成されたメッシュの間隔と、誘電体５１３の比誘電率と、によって決まる。なお、誘電体５１３内を伝達する電磁波は、アンテナ５１０のシート状導体５１２側の表面には開孔が形成されておらずシールドされているため、シート状導体５１２側からは浸出しない。
【００４６】
傾斜板６００は、商品３１０，３２０，３３０と商品ダミー４１０，４２０，４３０とが商品の種類毎に整列して配置される板であり、水平方向に対して傾斜した傾斜面を有する板である。傾斜板６００は、商品３１０，３２０，３３０と商品ダミー４１０，４２０，４３０とが、重力に従って先頭位置に向かって詰められて配置されるように、傾斜面が設けられている。傾斜面は、商品３１０，３２０，３３０と商品ダミー４１０，４２０，４３０との間に生じる摩擦力が小さくなるように、摩擦係数の小さい材料や表面形状であることが好適である。
【００４７】
通信ネットワーク７００は、店舗内に構築されるネットワークであり、通信ネットワーク７００に接続された機器同士が相互に通信するためのネットワークである。通信ネットワーク７００は、例えば、無線ＬＡＮである。
【００４８】
次に、図６を参照して、商品管理システム１０００の基本的な機能について説明する。商品管理システム１０００は、機能的には、移動部１０１と、検知部１０２と、送信部１０３と、処理部１０４とを備える。以下、対象とする商品が商品３１０であるものとして説明する。
【００４９】
移動部１０１は、予め定められた先頭位置から順に詰められて配置される複数の商品３１０のうち少なくとも１個の商品３１０が取り出された場合、複数の商品３１０の残数量に応じた位置に移動する。移動部１０１の機能は、例えば、商品ダミー４１０により実現される。この場合、移動部１０１は、無線タグ４１１を備える。
【００５０】
検知部１０２は、移動部１０１が予め定められた検知位置に移動したことを検知する。検知部１０２の機能は、例えば、アンテナ５１０の機能により実現される。この場合、検知部１０２は、無線タグ４１１からタグ情報を受信できた場合、移動部１０１が検知位置に移動したと判別することができる。
【００５１】
送信部１０３は、検知部１０２により移動部１０１が検知位置に移動したことが検知された場合、商品３１０の識別情報を予め定められた処理部１０４に送信する。商品３１０の識別情報は、処理装置２００が最終的に商品３１０を特定することができる情報であれば、商品３１０の名称や商品コードでなくともよい。商品３１０の識別情報は、例えば、タグ情報に含まれている。送信部１０３は、検知部１０２から受信したタグ情報を処理部１０４に送信してもよい。送信部１０３の機能は、例えば、送信部１０３の機能により実現される。
【００５２】
ここで、移動部１０１は、商品を模した商品ダミー４１０であることが好適である。この場合、商品ダミー４１０は複数の商品３１０のうち先頭位置からの距離が最も遠い商品３１０と隣接し、最も遠い商品３１０よりも先頭位置から遠い位置に配置される。
【００５３】
また、上述のように、移動部１０１は、タグ情報を記憶する無線タグ４１１を備えることが好適である。この場合、検知部１０２は、無線タグ４１１が検知位置に配置されているときに、無線タグ４１１からタグ情報を受信するアンテナ５１０であることが好適である。そして、送信部１０３は、アンテナ５１０によりタグ情報が受信された場合、商品４１０の識別情報を処理部１０４に送信する。
【００５４】
処理部１０４は、受信部１０５と表示部１０６とを備える。受信部１０５は、送信部１０３から送信された商品３１０の識別情報を受信する。一方、表示部１０６は、受信部１０５により商品３１０の識別情報が受信された場合、検知位置に対応付けられた数量を示す情報を表示する。処理部１０４の機能は、例えば、処理装置２００の機能により実現される。また、受信部１０５の機能は、例えば、第１通信インターフェース２７の機能により実現される。そして、表示部１０６の機能は、例えば、ＣＰＵ２１とタッチスクリーン２６とが協働することにより実現される。
【００５５】
本実施形態では、商品３１０が取り出される毎に商品ダミー４１０が商品３１０とともに先頭位置に向かってシフトする。そして、商品ダミー４１０が検知位置に達すると商品ダミー４１０に付された無線タグ４１１から送信されたタグ情報がアンテナ５１０により受信される。ここで、アンテナ５１０によりタグ情報が受信されると、送信装置１００により商品３１０の識別情報が処理装置２００に送信される。本実施形態では、全ての商品３１０に無線タグ４１１が付されていなくても、商品３１０の残数量が閾値以下になった旨が管理者に報知される。従って、本実施形態によれば、手間をかけずに商品３１０の残数量を管理することができる。なお、商品の購入後には使用されない無線タグ４１１を、残数量の取得のためだけに商品３１０に付したくないという要望もある。本実施形態によれば、かかる要望にも応えつつ、商品３１０の残数量を管理することができる。
【００５６】
（実施形態２）
実施形態１では、移動部１０１が商品ダミー４１０である例について説明した。移動部１０１は、商品ダミー４１０でなくてもよい。例えば、移動部１０１は、商品３１０を押し出す押出機構４１２の一部であってもよい。以下、図７を参照して、本実施形態について説明する。
【００５７】
図７に示すように、移動部１０１は、複数の商品３１０のうち先頭位置からの距離が最も遠い商品３１０を先頭位置に向けて押し出す押出機構４１２の一部（移動部材４１３）であってもよい。押出機構４１２は、移動部材４１３と伸長部材４１４と固定部材４１５とを備える。移動部材４１３は、先頭位置に向かう方向に力を伸長部材４１４から加えられる部材である。移動部材４１３は、末尾位置に配置されている商品３１０に当接し、末尾位置に配置されている商品３１０に対して、先頭位置に向かう方向に力を加える。移動部材４１３の下部（底面又は底面近傍の側面）には、無線タグ４１１が付されている。移動部材４１３は、例えば、板状の部材である。
【００５８】
伸長部材４１４は、移動部材４１３と固定部材４１５とが離れるように、移動部材４１３と固定部材４１５とに力を加える部材である。具体的には、伸長部材４１４は、固定部材４１５から離れる方向、つまり、先頭位置がある方向に向かう力を移動部材４１３に加える。伸長部材４１４は、例えば、ばねのように、伸びる部材である。固定部材４１５は、水平板６２０の端部に固定される。固定部材４１５は、伸長部材４１４から力が加えられても移動しない。水平板６２０は、陳列棚に配置される板であり、水平方向に対して平行な面である平行面を有する板である。本実施形態では、押出機構４１２により先頭方向に向かう力が商品３１０に加えられるため、傾斜板６００でなく水平板６２０を採用している。
【００５９】
本実施形態では、顧客により商品３１０が陳列棚から取り出されると、取り出された商品３１０よりも末尾位置方向に存在していた商品３１０と、移動部材４１３とが、先頭方向に向かって移動する。そして、移動部材４１３が検知位置まで移動すると、移動部材４１３に付された無線タグ４１１が浸出領域５１７内に入る。その結果、送信装置１００は、無線タグ４１１からタグ情報を受信し、商品３１０の識別情報を処理装置２００に送信する。従って、本実施形態においても、全ての商品３１０に無線タグ４１１が付されていなくても、商品３１０の残数量が閾値以下になった旨が管理者に報知される。従って、本実施形態によれば、手間をかけずに商品３１０の残数量を管理することができる。
【００６０】
（実施形態３）
実施形態１では、商品ダミー４１０，４２０，４３０について、それぞれ、アンテナ５１０，５２０，５３０が設けられる例、つまり、１つの商品ダミーについて１つのアンテナが設けられる例について説明した。複数の商品ダミーについて１つのアンテナが設けられてもよい。
【００６１】
図８に、本実施形態に係る商品管理システム１１００の構成を示す。図８に示すように、本実施形態では、３つの商品ダミー（商品ダミー４１０，４２０，４３０）に対して、１つのアンテナ５４０が設けられる。アンテナ５４０は、幅方向に対して長手方向の長さが十分に長いシート状のアンテナである。アンテナ５４０は、例えば、商品ダミー４１０，４２０，４３０のいずれに対しても適切な大きさの浸出領域５１７を形成するように、アンテナ５１０をカットすることにより形成される。
【００６２】
アンテナ５１０をカットしたくない場合、アンテナ５１０上に、適切な大きさの浸出領域５１７が形成されるように浸出領域５１７を制限することにより、アンテナ５４０を形成する手法もある。例えば、図９に示すように、アンテナ５１０上に、浸出領域５１７を形成したくない部分に、シート状導体５４１，５４２を重ねるとよい。かかる構成によれば、アンテナ５１０を加工せずに、アンテナ５１０の表面上に所望の形状及び大きさの浸出領域５１７を形成することができる。本実施形態では、アンテナ５４０は、通信線５４８を介して、送信装置１００と接続される。
【００６３】
次に、図１０を参照して、商品管理システム１１００の基本的な機能について説明する。商品管理システム１１００は、機能的には、移動部１０１と、検知部１０２と、送信部１０３と、処理部１０４と、第２移動部１０７と、を備える。以下、対象とする商品が商品３１０，３２０であるものとして説明する。なお、実施形態１と同様の構成については、説明を省略する。
【００６４】
第２移動部１０７は、予め定められた第２先頭位置から順に詰められて配置される複数の第２商品（商品３２０）のうち少なくとも１個の第２商品（商品３２０）が取り出された場合、複数の第２商品（商品３２０）の残数量に応じた位置に移動する。第２移動部１０７の機能は、例えば、商品ダミー４２０の機能により実現される。第２移動部１０７は、第２タグ情報を記憶する第２無線タグ（無線タグ４２１）を備える。ここで、検知部１０２は、第２移動部１０７が予め定められた第２検知位置に移動したことを更に検知する。
【００６５】
検知部１０２であるアンテナ５４０は、検知位置と第２検知位置とを含む領域を受信対象領域とするアンテナである。アンテナ５４０は、無線タグ４１１が検知位置に配置されているときに、無線タグ４１１からタグ情報を受信する。また、アンテナ５４０は、第２無線タグ（無線タグ４２１）が第２検知位置に配置されているときに、第２無線タグ（無線タグ４２１）から第２タグ情報を受信する。
【００６６】
ここで、送信部１０４は、アンテナ５４０によりタグ情報が受信された場合、商品３１０の識別情報を処理部１０４に送信する。送信部１０４は、アンテナ５４０により第２タグ情報が受信された場合、第２商品（商品３２０）の識別情報を処理部１０４に送信する。
【００６７】
本実施形態では、１つのアンテナ５４０により複数種類の商品に対応する複数のタグ情報が取得される。従って、本実施形態によれば、手間をかけずに複数種類の商品の残数量を管理することができる。
【００６８】
（実施形態４）
実施形態１では、商品ダミー４１０が検知位置に配置されたことを検知するために、商品ダミー４１０に無線タグ４１１を付し、検知部１０２として、無線タグ４１１からタグ情報を受信するアンテナ５１０を採用する例について説明した。商品ダミー４１０が検知位置に配置されたことを検知する手法は、この例に限定されない。商品ダミー４１０が検知位置に配置されたことは、種々のセンサにより検知することが可能である。本実施形態では、重量センサ８００を用いて、商品ダミー４１０が検知位置に配置されたことを検知する手法について説明する。
【００６９】
重量センサ８００は、例えば、図１１に示すように、重量センサ８００の検知面が傾斜板６００の傾斜面に露出するように、傾斜板６００に埋め込まれる。そして、重量センサ８００が配置された位置が商品ダミー４１０の検知位置となる。ここで、重量センサ８００は、通信線８０１により、送信装置１００が備える第２通信インターフェース１８と接続される。
【００７０】
本実施形態では、商品ダミー４１０の重量と商品３１０の重量とは異なることが前提となる。好ましくは、商品ダミー４１０の重量と商品３１０の重量との重量差は、予め定められた重量閾値以上であることが望ましい。重量閾値は、例えば、商品３１０の重量の数十％〜数百％である。なお、商品ダミー４１０の重量の方が商品３１０の重量よりも重いことが好適である。この場合、商品ダミー４１０が商品３１０を先頭位置に向かって押し出す力が強くなり、商品３１０や商品ダミー４１０のシフトがスムーズになることが期待できるためである。一方、移動部１０１として押出機構４１２の一部（移動部材４１３）を採用する場合、移動部材４１３の重量の方が商品３１０の重量よりも軽くてもよい。
【００７１】
重量センサ８００は、検知位置に配置された物品の重量を測定する。ここで、検知位置に配置される可能性のある物品は、商品３１０と商品ダミー４１０とのうちの何れかの物品である。従って、重量センサ８００は、商品３１０の重量を示す重量情報、又は、商品ダミー４１０の重量を示す重量情報を送信部１０３に送信する。送信部１０３が、重量センサ８００から受信した重量情報に基づいて、検知位置に商品ダミー４１０が配置されたか否かを判別する手法は、適宜、調整することができる。例えば、３つの方法が考えられる。
【００７２】
１つ目の方法では、送信部１０３は、商品ダミー４１０の重量を示す重量情報を記憶部（例えば、フラッシュメモリ１４）に記憶しておき、重量センサ８００から受信した重量情報により示される重量と記憶部に記憶された重量情報により示される重量とを比較する。そして、送信部１０３は、２つの重量の重量差が予め定められた重量閾値以下である場合、検知位置に商品ダミー４１０が配置されていると判別する。一方、送信部１０３は、２つの重量の重量差が重量閾値を超える場合、検知位置に商品３１０が配置されていると判別する。２つ目の手法では、送信部１０３は、検知位置に商品ダミー４１０が配置されたか否かを正確に判別することが期待できる。
【００７３】
２つ目の方法では、送信部１０３は、商品３１０の重量を示す重量情報を記憶部（例えば、フラッシュメモリ１４）に記憶しておき、重量センサ８００から受信した重量情報により示される重量と記憶部に記憶された重量情報により示される重量とを比較する。そして、送信部１０３は、２つの重量の重量差が予め定められた重量閾値以下である場合、検知位置に商品３１０が配置されていると判別する。一方、送信部１０３は、２つの重量の重量差が重量閾値を超える場合、検知位置に商品ダミー４１０が配置されていると判別する。２つ目の手法では、送信部１０３は、検知位置に商品ダミー４１０が配置されたか否かを正確に判別することが期待できる。
【００７４】
３つ目の方法では、送信部１０３は、重量センサ８００から受信した重量情報により示される重量が、予め定められた重量閾値以上変化したか否かを判別する。送信部１０３は、重量情報により示される重量が重量閾値以上変化した場合、検知位置に商品ダミー４１０が配置されたと判別する。一方、送信部１０３は、重量情報により示される重量が重量閾値以上変化していない場合、検知位置に商品３１０が配置されていると判別する。３つ目の手法では、送信部１０３は、検知位置に配置される物品が商品３１０から商品ダミー４１０に切り替わったことにより生じる重量差を判別する。３つ目の手法では、送信部１０３は、商品ダミー４１０や商品３１０の重量が判らない場合でも、検知位置に商品ダミー４１０が配置されたか否かを判別することができる。
【００７５】
なお、送信部１０３は、検知位置に商品ダミー４１０が配置されたと判別した場合、商品３１０の識別情報を処理部１０４に送信する。本実施形態では、送信部１０３は、商品３１０の識別情報を含むタグ情報を受信しないため、商品３１０の識別情報を予め記憶部（例えば、フラッシュメモリ１４）に記憶しておく必要がある。例えば、商品３１０の識別情報は、商品３１０に対応する重量センサ８００の識別情報と対応付けられて記憶部に記憶されていればよい。本実施形態では、重量変化により商品３１０の残数量が閾値以下であるか否かを検知することができる。
【００７６】
（実施形態５）
実施形態４では、重量センサ８００を用いて、商品ダミー４１０が検知位置に配置されたことを検知する手法について説明した。本実施形態では、温度センサ８１０を用いて、商品ダミー４１０が検知位置に配置されたことを検知する手法について説明する。
【００７７】
温度センサ８１０は、例えば、図１２に示すように、傾斜板６００に設けられた穴部６３０内に配置される。そして、温度センサ８１０が配置された位置が商品ダミー４１０の検知位置となる。ここで、温度センサ８１０は、通信線８１１により、送信装置１００が備える第２通信インターフェース１８と接続される。
【００７８】
本実施形態では、商品ダミー４１０の熱伝導率と商品３１０の熱伝導率とが異なることが前提となる。好ましくは、商品ダミー４１０の熱伝導率と商品３１０の熱伝導率との熱伝導率の差は、予め定められた閾値以上であることが望ましい。なお、商品ダミー４１０の熱伝導率と商品３１０の熱伝導率とが異なる場合、例えば、商品ダミー４１０や商品３１０の上方から冷風や温風が吹き込まれている場合、商品ダミー４１０の下部における温度と商品３１０の下部における温度とには差異が生じると考えられる。
【００７９】
そこで、本実施形態では、温度センサ８１０は、検知位置に配置された物品の近傍の温度を測定し、測定した温度を示す温度情報を送信部１０３に送信する。そして、送信部１０３は、受信した温度情報により示される温度が予め定められた温度閾値以上である場合、商品ダミー４１０が検知位置に配置されたと判別する。一方、送信部１０３は、受信した温度情報により示される温度が温度閾値未満である場合、商品ダミー４１０が検知位置に配置されていないと判別する。なお、送信部１０３は、検知位置に商品ダミー４１０が配置されたと判別した場合、商品３１０の識別情報を処理部１０４に送信する。本実施形態では、温度変化により商品３１０の残数量が閾値以下であるか否かを検知することができる。
【００８０】
（実施形態６）
実施形態５では、温度センサ８１０を用いて、商品ダミー４１０が検知位置に配置されたことを検知する手法について説明した。本実施形態では、カラーセンサ８２０を用いて、商品ダミー４１０が検知位置に配置されたことを検知する手法について説明する。
【００８１】
カラーセンサ８２０は、例えば、図１３に示すように、傾斜板６４０の下方の面に配置される。この場合、傾斜板６４０は、全体が透明な素材で構成されているか、カラーセンサ８２０が配置される部分が透明な素材で構成されているか、或いは、カラーセンサ８２０が配置される部分に貫通孔が設けられていることが好適である。そして、カラーセンサ８２０が配置された位置が商品ダミー４１０の検知位置となる。ここで、カラーセンサ８２０は、通信線８２１により、送信装置１００が備える第２通信インターフェース１８と接続される。カラーセンサ８２０は、例えば、赤、緑、及び青の光の３原色分のＬＥＤ（Light Emitting Diode）と、１つのフォトトランジスタと、３原色分のＬＥＤの発光量を制御するとともにフォトトランジスタから出力された情報を取得するマイコンと、を備える。
【００８２】
本実施形態では、商品ダミー４１０の色と商品３１０の色とが異なることが前提となる。好ましくは、商品ダミー４１０の色と商品３１０の色との色差が、予め定められた閾値以上であることが望ましい。本実施形態では、カラーセンサ８２０は、検知位置に配置された物品の色を測定し、測定した色を示す色情報を送信部１０３に送信する。送信部１０３が、カラーセンサ８２０から受信した色情報に基づいて、検知位置に商品ダミー４１０が配置されたか否かを判別する手法は、適宜、調整することができる。例えば、３つの方法が考えられる。
【００８３】
１つ目の方法では、送信部１０３は、商品ダミー４１０の色を示す色情報を記憶部（例えば、フラッシュメモリ１４）に記憶しておき、カラーセンサ８２０から受信した色情報により示される色と記憶部に記憶された色情報により示される色とを比較する。そして、送信部１０３は、２つの色の色差が予め定められた色閾値以下である場合、検知位置に商品ダミー４１０が配置されていると判別する。一方、送信部１０３は、２つの色の色差が色閾値を超える場合、検知位置に商品３１０が配置されていると判別する。１つ目の手法では、送信部１０３は、検知位置に商品ダミー４１０が配置されたか否かを正確に判別することが期待できる。
【００８４】
２つ目の方法では、送信部１０３は、商品３１０の色を示す色情報を記憶部（例えば、フラッシュメモリ１４）に記憶しておき、カラーセンサ８２０から受信した色情報により示される色と記憶部に記憶された色情報により示される色とを比較する。そして、送信部１０３は、２つの色の色差が予め定められた色閾値以下である場合、検知位置に商品３１０が配置されていると判別する。一方、送信部１０３は、２つの色の色差が色閾値を超える場合、検知位置に商品ダミー４１０が配置されていると判別する。２つ目の手法では、送信部１０３は、検知位置に商品ダミー４１０が配置されたか否かを正確に判別することが期待できる。
【００８５】
３つ目の方法では、送信部１０３は、カラーセンサ８２０から受信した色情報により示される色が、予め定められた色閾値以上変化したか否かを判別する。送信部１０３は、色情報により示される色が色閾値以上変化した場合、検知位置に商品ダミー４１０が配置されたと判別する。一方、送信部１０３は、色情報により示される色が色閾値以上変化していない場合、検知位置に商品３１０が配置されていると判別する。３つ目の手法では、送信部１０３は、検知位置に配置される物品が商品３１０から商品ダミー４１０に切り替わったことにより生じる色の差を判別する。３つ目の手法では、送信部１０３は、商品ダミー４１０や商品３１０の色が判らない場合でも、検知位置に商品ダミー４１０が配置されたか否かを判別することができる。なお、送信部１０３は、検知位置に商品ダミー４１０が配置されたと判別した場合、商品３１０の識別情報を処理部１０４に送信する。本実施形態では、色の変化により商品３１０の残数量が閾値以下であるか否かを検知することができる。
【００８６】
（変形例）
以上、本発明の実施形態を説明したが、本発明を実施するにあたっては、種々の形態による変形及び応用が可能である。
【００８７】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【００８８】
実施形態１では、残数量の検知対象となる商品が、店頭の陳列棚に配置された商品である例について説明した。本発明において、残数量の検知対象となる商品は、店頭の陳列棚に配置された商品に限定されず、他の場所に配置される商品であってもよい。例えば、残数量の検知対象となる商品は、自動販売機内に配置された商品であってもよい。このような、自動販売機内に配置される商品としては、缶飲料、ペットボトル飲料、瓶飲料、タバコなどがあるが、他の商品であってもよいことは勿論である。なお、自動販売機内の商品に適用する場合、例えば、マイコンなど比較的小さな通信装置を送信部１０３とし、管理者などが保有するスマートフォンや携帯電話を処理部１０４とすることが好適である。この場合、自動販売機内に収容された送信部１０３から、管理者などが保有する処理部１０４に、商品の識別情報や商品の残数量が少ない旨を示す情報を送信することになる。
【００８９】
実施形態１では、無線タグ４１１からタグ情報を受信するアンテナとして、シート状のアンテナを採用する例について説明した。本発明において、無線タグ４１１からタグ情報を受信するアンテナとして、種々のアンテナを採用することができる。採用するアンテナとしては、タグ情報を受信可能な領域とタグ情報を受信可能でない領域とが明確に区別されているものが望ましい。例えば、特開２０１５−１９８３７２号公報に開示されたブレード上のアンテナを採用することが好適である。
【００９０】
また、実施形態１では、シート状のアンテナであるアンテナ５１０，５２０，５３０のシート面が、傾斜板６００が有する傾斜面とほぼ平行になる例について説明した。本発明において、アンテナ５１０，５２０，５３０のシート面の角度は、この例に限定されない。例えば、アンテナ５１０，５２０，５３０のシート面は、傾斜板６００が有する傾斜面とほぼ直交してもよい。
【００９１】
また、実施形態１では、は、シート状のアンテナであるアンテナ５１０の幅が、商品３１０の幅とほぼ同じである例について説明した。本発明において、アンテナ５１０の幅は、商品３１０の幅と異なっていてもよく、例えば、商品３１０の幅の整数倍であってもよい。かかる構成によれば、商品３１０が複数個、陳列棚から取り出された場合でも、検知位置に商品ダミー４１０が移動したことを検知しやすくなるためである。
【００９２】
実施形態１では、送信装置１００や処理装置２００が有する機能を多くがソフトウェア（又は、ファームウェア）により実現される例、つまり、送信装置１００や処理装置２００が有する機能を多くがプロセッサによるプログラムの実行により実現されるについて説明した。本発明において、このような機能は、ハードウェアにより実現されてもよい。この場合、例えば、送信装置１００や処理装置２００は、ＣＰＵ１１やＣＰＵ２１に代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【００９３】
本発明に係る送信装置１００や処理装置２００の動作を規定する動作プログラムを既存のパーソナルコンピュータや情報端末装置に適用することで、当該パーソナルコンピュータを本発明に係る送信装置１００や処理装置２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【符号の説明】
【００９４】
１１，２１  ＣＰＵ、１２，２２  ＲＯＭ、１３，２３  ＲＡＭ、１４，２４  フラッシュメモリ、１５，２５  ＲＴＣ、１６，２６  タッチスクリーン、１７，２７  第１通信インターフェース、１８  第２通信インターフェース、１００  送信装置、１０１  移動部、１０２  検知部、１０３  送信部、１０４  処理部、１０５  受信部、１０６  表示部、１０７  第２移動部、２００  処理装置、３１０，３２０，３３０  商品、３１１，３１２，３１３  領域、４１０，４２０，４３０  商品ダミー、４１１  無線タグ、４１２  押出機構、４１３  移動部材、４１４  伸長部材、４１５  固定部材、４２１  第２無線タグ、５１０，５２０，５３０，５４０  アンテナ、５１１，５１２，５４１，５４２  シート状導体、５１３  誘電体、５１４  保護シート、５１５  コネクタ、５１６  終端部、５１７  浸出領域、５１８，５２８，５３８，５４８，８０１，８１１，８２１  通信線、６００，６４０  傾斜板、６１０  突起部、６２０  水平板、６３０  穴部、７００  通信ネットワーク、８００  重量センサ、８１０  温度センサ、８２０  カラーセンサ、１０００，１１００  商品管理システム
【図１】
2019191617.tif 000003
【図２】
2019191617.tif 000004
【図３】
2019191617.tif 000005
【図４】
2019191617.tif 000006
【図５】
2019191617.tif 000007
【図６】
2019191617.tif 000008
【図７】
2019191617.tif 000009
【図８】
2019191617.tif 000010
【図９】
2019191617.tif 000011
【図１０】
2019191617.tif 000012
【図１１】
2019191617.tif 000013
【図１２】
2019191617.tif 000014
【図１３】
2019191617.tif 000015